(57)【要約】      （修正有）【課題】小型で低価格且つ足湯がマイクロバブルの炭酸泉である足湯装置を提供する。【解決手段】上面を開放した足を挿入する凹部状で吸水口３２と吐出口３４，３４を有する足湯槽３が容器状の足湯本体２内に配置されているとともに、足湯本体２内には吸水口３２と吐出口３４，３４とを連結する循環流水路５に循環ポンプ６、加熱ヒータ７、電解装置８が配置されており、足湯槽３内に貯留させた足湯１０を加熱ヒータ７により加熱しながら循環ポンプ６により循環し、且つ足湯１０に炭酸塩を添加して電解装置８により電気分解して発生させた炭酸ガスのマイクロバブルを吐出口３４，３４から足湯槽３内の足湯１０へ供給可能とした。【選択図】図２
0003136083.tif 000002
【実用新案登録請求の範囲】
【請求項１】
上面を開放した足を挿入する凹部状で吸水口と吐出口を有する足湯槽が容器状の足湯本体内に配置されているとともに、前記足湯本体内には前記吸水口と吐出口とを連結する循環流水路に循環ポンプ、加熱ヒータ、電解装置が配置されており、前記足湯槽内に貯留させた足湯液を加熱ヒータにより加熱しながら循環ポンプにより循環し、且つ足湯液に炭酸塩を添加して前記電解装置により電気分解して発生させた炭酸ガスのマイクロバブルを前記吐出口から足湯槽内の足湯液へ供給可能としたことを特徴とする足湯装置。
【請求項２】
前記電解装置に独立して制御可能な定電流直流電源が接続されている請求項１記載の足湯装置。
【請求項３】
前記電解装置が無隔膜電解槽または隔膜式電解槽を有している請求項１または２記載の足湯装置。
【請求項４】
前記足湯液に添加する炭酸塩がペレット状であり、前記足湯本体に収納部が設けられている請求項１，２または３に記載の足湯装置。
【請求項５】
前記足湯本体の吐出口付近に発光ダイオードからなる発光装置が配置されている請求項１，２，３または４記載の足湯装置。
【考案の詳細な説明】
【技術分野】
【０００１】
本考案は、温浴に足を漬けて疲れをとるために使用される足湯装置、特に店舗や家庭などに設置して簡易に使用することが可能な足湯装置に関するものである。
【背景技術】
【０００２】
従来、足湯は足の血行を促進することにより全身の血行が良くなるばかりか、全身浴と異なり足の部分だけを浴湯に漬けるだけでよく、全身浴が困難な場合にもきわめて簡易に健康を保つことができ、特に、近頃、容器状の足湯槽に電気ヒータを備えた簡易な足湯装置が提供されており（例えば特開平９−２８７５６号公報、実用新案登録第３０３７１７３号公報など）、町中の店舗や家庭でも容易に足湯を使用することができる。
【０００３】
また、足湯に気泡を噴出させてマッサージ効果を付与することにより足湯効果を向上させたり視覚的効果の向上を図った足湯装置が例えば実開平４−５１９４７号公報、実用新案登録第３０７２４６５号公報、 実用新案登録第３１１４９５１号公報などに提示されている。
【０００４】
しかしながら前記従来の気泡や炭酸泡を噴出させる足場装置は、単にエアーポンプで空気を噴出させたり、例えば炭酸水素ナトリウムなどの炭酸塩を添加するものであり所謂マイクロバブルと呼ばれる微細な炭酸気泡を有する所謂、炭酸泉を得ることはできない。
【０００５】
また、通常の風呂に用いられる浴槽において、例えば炭酸ガスボンベから炭酸ガスを導入したり、中空糸膜でガス透過させてガスを溶解させることとによりマイクロバルブの炭酸泉を得る手段も知られているが、装置が大型化したり価格が高く更に管理や操作も容易でないことから、簡易な足湯装置には採用することはできない。
【特許文献１】特開平９−２８７５６号公報
【特許文献２】実用新案登録第３０３７１７３号公報
【特許文献３】実開平４−５１９４７号公報
【特許文献４】実用新案登録第３０７２４６５号公報
【特許文献５】実用新案登録第３１１４９５１号公報
【考案の開示】
【考案が解決しようとする課題】
【０００６】
本考案は、上記のような問題点を解決するためになされたものであり、小型で低価格、且つ足湯がマイクロバブルの炭酸泉である足湯装置を提供するものである。
【課題を解決するための手段】
【０００７】
前記課題を解決するためになされた本考案は、上面を開放した足を挿入する凹部状で吸水口と吐出口を有する足湯槽が容器状の足湯本体内に配置されているとともに、前記足湯本体内には前記吸水口と吐出口とを連結する循環流水路に循環ポンプ、加熱ヒータ、電解装置が配置されており、前記足湯槽内に貯留させた足湯液を加熱ヒータにより加熱しながら循環ポンプにより循環し、且つ足湯液に炭酸塩を添加して前記電解装置により電気分解して発生させた炭酸ガスのマイクロバブルを前記吐出口から足湯槽内の足湯液へ供給可能としたことを特徴とする。
【０００８】
本考案によれば、炭酸塩を添加した足湯液を電解装置により電気分解して発生させた微細な炭酸ガスの気泡を噴出させ、炭酸泉を生成させる。
【０００９】
また、本発明において、前記電解装置に独立して制御可能な定電流直流電源が接続されている場合には、例えば足湯が加熱するまでは加熱ヒーターと循環ポンプだけを作動させておき、足を入れるとときに手電解装置を作動させて炭酸ガスの微細な気泡を提供することにより、電気代や炭酸塩の節約が可能であり、経済的に有利である。
【００１０】
さらに、前記電解装置が無隔膜電解槽または隔膜式電解槽を用いることができ、前記足湯液に添加する炭酸塩がペレット状である場合には取り扱いが容易で、前記足湯本体に収納部が設けられている場合には使い勝手がよい。
【００１１】
加えて、足湯本体の吐出口付近に発光ダイオードからなる発光装置が配置されている場合には、さらに癒し効果が期待できる。
【考案の効果】
【００１２】
本考案によれば、従来の小型で簡易な足湯装置において、きわめて容易に足湯を炭酸泉とするとが可能であり、マッサージ効果や視覚効果に優れた足湯装置を提供することができる。
【考案を実施するための最良の形態】
【００１３】
次に、図面を参照して本考案を実施するための最良の形態を説明する。
【００１４】
図１および図２は本考案における最良の実施の形態の一例を示すものであり、足湯装置１は、中央に上面を開放した足を挿入する凹部状の足湯槽３が形成された硬質の合成樹脂により成形されたの足湯本体２を有しており、前記足湯槽３には底壁３１の後方に吸水口３２が、前方の壁面３３の左右両側に吐水口３４，３４および発光ダイオードを光源とする発光装置４が配置されている。
【００１５】
また、足湯本体２の前記足湯槽３の周囲に形成される空部２１には前記吸水口３２と吐水口３４，３４とを連結する循環流水路５が配置されており、前記循環流水路５には、循環ポンプ６、加熱ヒータ７、無隔膜電解槽を有する電解装置８が配置されている。
【００１６】
さらに、前記空部２１には、前記発光装置４、循環ポンプ６、加熱ヒータ７、電解装置８の電源装置９が配置されている。特に、本実施の形態では電源装置９には前記電解装置８を独立して制御可能な定電流直流電源（図示せず）が接続されている。
【００１７】
さらにまた、前記足湯本体２の前方に形成される操作面２２に、電源スイッチ２３、タイマースイッチ２４などの操作部２５、水温や各種インジケータの表示部２６、前記電解装置８を個別に制御するための炭酸泡発生スイッチ２７および後述のタブレット状の炭酸塩３０の収納部２８が配置されており、また、前記循環流水路５の吸水口３２の近傍には足湯を浄化するためのフィルターなどの浄化装置２９および足湯本体２外へ足湯を取り出すための排水口３５が配置されている。
【００１８】
次に、本実施の形態の使用方法を説明すると、まず、前記足湯槽３に所定量の足湯１０を供給する。このとき、通常の水道水でもよいが、予め所定の温度（４０℃前後）に調整したものを供給することとにより予備時間を短縮することができる。
【００１９】
次に、電源コードから電源装置９に電源を供給するとともに電源スイッチ２３、タイマースイッチ２４などをＯＮ操作して足湯槽３に貯留させた足湯１０を循環ポンプ６により循環流水路５を吸水口３２から吐水口３３へと循環させるとともに加熱ヒータ７により所定の設定温度に加熱する。
【００２０】
そして、足湯１０が設定温度になったならば、収納部２８に収容されているタブレット状の例えば炭酸水素ナトリウム（重曹）などの炭酸塩３０を取出具２８１を用いて取り出して足湯１０に溶解させ、前記炭酸泡発生スイッチ２７をＯＮ操作して電解装置８に所定の電源を供給して電解槽内で微細な炭酸ガスの気泡を発生させ、吐出口３４，３４から白い泡となって噴出させ、炭酸泉を生成させ、両足を挿入して所定の時間にわたって足湯を楽しむことができる。
【００２１】
このとき、同時に発光装置４を点灯させると、吐出口３４，３４から噴出させた炭酸ガスの泡が乱反射して優れた照明効果を挙げて癒し効果を得ることができる。
【００２２】
表１に本実施の形態を用いた場合の使用結果を示す。尚、使用条件は以下の通りである。
湯量：１０リットル、原料水：東京都小金井市の水道水、炭酸塩：約２０グラム（電気伝導度：１７５０μＳ／ｃｍ）、湯温：４０℃、電解電源：（電圧  ＤＣ２４V、電流  ５．０Ａ  ）、電極：白金（或いは白金イリジウム合金）で被覆
【表１】
0003136083.tif 000003
【００２３】
本使用結果によると、約２分間の電解により吐出口３４，３４からマイクロバブルが噴出した（炭酸ガス濃度は約５００ｐｐｍ）。このときから足湯槽３内に挿入した足に足湯効果が現れる。そして、５分後に足湯槽３の全体に広がって白濁した（炭酸ガス濃度は約８００ｐｐｍ）。このとき、足湯槽３内に挿入した足が赤くなって血流が良好になったことが確認され、足の側面に炭酸ガスの微細な気泡が確認され、所謂、炭酸泉が形成されていることがわかる。
【００２４】
次に、前記表１に示した使用例において、炭酸塩の添加量を増加させた場合の使用例を表２に示す。
【表２】
0003136083.tif 000004
【００２５】
表２によれば、炭酸塩の濃度を増加させると、早い時期に炭酸泉が形成されるが、電解電流も高くなることから、より要領の大きな電源が必要である。
【００２６】
次に、前記表１に示した使用例において、炭酸塩の添加量を減少させた場合の使用例を表３に示す。
【表３】
0003136083.tif 000005
【００２７】
表３によれば、炭酸塩の濃度を減少させると、炭酸泉が形成されるには１０分と遅れるが、電解電流が低くて済むことから、経済的に有利である。
【００２８】
尚、前記実施の形態では、炭酸塩としてペレット状の炭酸水素ナトリウムを用いたが、例えばセスキ炭酸ナトリウムなど他の炭酸塩を用いてもよく、粒状あるいは液状の炭酸塩も使用可能であり、さらに少量のクエン酸、こはく酸などの有機酸を添加してもよい。さらに、色素や香料などを添加してもよい。
【００２９】
また、本実施の形態では、電解装置８に独立して制御可能な定電流直流電源が接続されていることにより、足湯１０が加熱するまでは加熱ヒーター７と循環ポンプ６だけを作動させておき、足を入れるときに電解装置８を作動させて炭酸ガスの微細な気泡を提供することにより、電気代や炭酸塩の節約が可能であるが、電解装置８に独立して電源を設けなくてもよく、この場合には、部品点数の減少により経済的に有利であるとともに、設置スペースの減少も可能であり小型化を図ることができる。
【００３０】
さらに、前記電解装置８として無隔膜電解槽を用いたが、隔膜式電解槽を用いることもできる。
【図面の簡単な説明】
【００３１】
【図１】本考案における最適な実施形態の一例を示す斜視図。
【図２】図１のＡ−Ａ線に沿う断面拡大図。
【符号の説明】
【００３２】
１  足湯装置、２  足湯本体、３  足湯槽、４  発光装置、５  循環流水路、６  循環ポンプ、７  加熱ヒータ、８  電解装置、９  電源装置、１０  足湯、３０  炭酸塩
【図１】
0003136083.tif 000006
【図２】
0003136083.tif 000007